(57)【要約】【課題】本発明は、液晶表示パネルを薄くしてもその破損を防止することができる液晶表示装置を提供することを目的とする。【解決手段】液晶表示装置は、第１面２２及び第２面２４を貫通する穴２６を有し、第１面２２には穴２６の周囲に第１凹部３８が形成され、第２面２４には穴２６の周囲に第２凹部４２が形成された樹脂フレーム２０と、樹脂フレーム２０の第１面２２に固定された液晶表示パネル１０と、樹脂フレーム２０の第２面２４に固定された導光板３０と、液晶表示パネル１０に接続されたフレキシブル配線基板１８と、フレキシブル配線基板１８に搭載された電子部品４６と、を有し、液晶表示パネル１０は、端部が第１凹部３８の上方に浮いた状態で位置するように配置され、フレキシブル配線基板１８は、屈曲して第１面２２側から第２面２４側に延びるように配置され、電子部品４６は第２凹部４２に収容される。【選択図】図４
2011237624.tif 000002
【特許請求の範囲】
【請求項１】
第１面及び第２面を貫通する穴を有し、前記第１面には前記穴の周囲に第１凹部が形成され、前記第２面には前記穴の周囲に第２凹部が形成された樹脂フレームと、
前記樹脂フレームの前記第１面に固定された液晶表示パネルと、
前記樹脂フレームの前記第２面に固定された導光板と、
前記液晶表示パネルに接続されたフレキシブル配線基板と、
前記フレキシブル配線基板に搭載された電子部品と、
を有し、
前記液晶表示パネルは、端部が前記第１凹部の上方に浮いた状態で位置するように配置され、
前記フレキシブル配線基板は、屈曲して前記第１面側から前記第２面側に延びるように配置され、
前記電子部品は前記第２凹部に収容されていることを特徴とする液晶表示装置。
【請求項２】
請求項１に記載された液晶表示装置において、
前記第１面には前記第１凹部の外側に凸部が形成され、
前記凸部の反対側に前記第２凹部が形成されていることを特徴とする液晶表示装置。
【請求項３】
請求項１又は２に記載された液晶表示装置において、
前記第１凹部及び前記第２凹部は貫通していることを特徴とする液晶表示装置。
【発明の詳細な説明】
【技術分野】
【０００１】
本発明は、液晶表示装置に関する。
【背景技術】
【０００２】
樹脂フレームに液晶表示パネルの端部を貼り付けた構造の液晶表示装置が知られている（特許文献１参照）。近年、液晶表示パネルの厚みが薄くなっており、さらに、液晶表示装置の総厚も薄くなっている。
【先行技術文献】
【特許文献】
【０００３】
【特許文献１】特開２００８−１７０７３９号公報
【発明の概要】
【発明が解決しようとする課題】
【０００４】
液晶表示パネルはその薄さから強度が低下しており、液晶表示装置はその総厚の薄さから曲がりやすくなっているので、液晶表示パネルの破損を防ぐことが難しくなってきている。
【０００５】
本発明は、液晶表示パネルの破損を防止することができる液晶表示装置を提供することを目的とする。
【課題を解決するための手段】
【０００６】
（１）本発明に係る液晶表示装置は、第１面及び第２面を貫通する穴を有し、前記第１面には前記穴の周囲に第１凹部が形成され、前記第２面には前記穴の周囲に第２凹部が形成された樹脂フレームと、前記樹脂フレームの前記第１面に固定された液晶表示パネルと、前記樹脂フレームの前記第２面に固定された導光板と、前記液晶表示パネルに接続されたフレキシブル配線基板と、前記フレキシブル配線基板に搭載された電子部品と、を有し、前記液晶表示パネルは、端部が前記第１凹部の上方に浮いた状態で位置するように配置され、前記フレキシブル配線基板は、屈曲して前記第１面側から前記第２面側に延びるように配置され、前記電子部品は前記第２凹部に収容されていることを特徴とする。本発明によれば、液晶表示パネルの端部が第１凹部の上方で浮いた状態で位置するので、液晶表示パネルが樹脂フレームに接触することを防止することができ、液晶表示パネルの破損を防止することができる。
【０００７】
（２）（１）に記載された液晶表示装置において、前記第１面には前記第１凹部の外側に凸部が形成され、前記凸部の反対側に前記第２凹部が形成されていることを特徴としてもよい。
【０００８】
（３）（１）又は（２）に記載された液晶表示装置において、前記第１凹部及び前記第２凹部は貫通していることを特徴としてもよい。
【図面の簡単な説明】
【０００９】
【図１】本発明の実施形態に係る液晶表示装置を示す平面図である。
【図２】図２は、図１に示す液晶表示装置のII−II線断面図である。
【図３】図３は、図１に示す液晶表示装置のIII−III線断面図である。
【図４】本実施形態の効果を説明する図である。
【図５】本発明の実施形態の変形例を示す図である。
【発明を実施するための形態】
【００１０】
以下、本発明の実施形態について、図面を参照して説明する。図１は、本発明の実施形態に係る液晶表示装置を示す平面図である。図２は、図１に示す液晶表示装置のII−II線断面図である。図３は、図１に示す液晶表示装置のIII−III線断面図である。
【００１１】
液晶表示装置は、液晶表示パネル１０を有する。液晶表示パネル１０は、ガラスなどからなる一対の基板１２，１４とこれらの間に挟まれた図示しない液晶を含み、一方の基板１２は他方の基板１４よりも長く形成されている。一対の基板１２，１４のそれぞれには偏光板１６が貼り付けられている。
【００１２】
液晶表示パネル１０には、フレキシブル配線基板１８が接続されている。詳しくは、一方の基板１２にフレキシブル配線基板１８が電気的に接続されている。フレキシブル配線基板１８には電子部品４６が搭載されている。電子部品４６を液晶表示パネル１０と電気的に接続するために、フレキシブル配線基板１８は図示しない配線パターンを有する。
【００１３】
液晶表示装置は樹脂フレーム２０を有する。樹脂フレーム２０は、第１面２２及び第２面２４を有し、第１面２２及び第２面２４を貫通する穴２６を有する。液晶表示パネル１０は、その表示領域が樹脂フレーム２０の穴２６に対向するように配置されている。図２に示すように、偏光板１６の全体が穴２６の内側に位置していてもよい。液晶表示パネル１０は、樹脂フレーム２０の第１面２２に固定されている。詳しくは、一方の基板１２が第１面２２に両面テープ２８などの粘着材によって貼り付けられている。両面テープ２８は遮光性を有している。
【００１４】
液晶表示装置は、樹脂フレーム２０の第２面２４の側に配置された導光板３０を有する。導光板３０は液晶表示パネル１０と対向しており、樹脂フレーム２０の穴２６にも対向している。液晶表示パネル１０と導光板３０の間には、光学フィルム３２が配置されている。光学フィルム３２は穴２６の内側に配置されている。導光板３０の端面に対向するように、ＬＥＤ（Light Emitting Diode）３４などの光源が配置されている。導光板３０の、液晶表示パネル１０とは反対側の面には反射シート３６が配置されている。
【００１５】
樹脂フレーム２０の第１面２２には、穴２６の周囲に第１凹部３８（又は溝）が形成されている。第１面２２には第１凹部３８の外側に凸部４０が形成されている。液晶表示パネル１０は、端部が第１凹部３８の上方に浮いた状態で位置している。図２に示すように、液晶表示パネル１０の樹脂フレーム２０に固定された基板１２の端部が、第１凹部３８の上方に突出している。
【００１６】
一方、樹脂フレーム２０の第２面２４には、穴２６の周囲に第２凹部４２が形成されている。第１面２２の凸部４０の反対側に第２凹部４２が形成されている。フレキシブル配線基板１８は、屈曲して第１面２２側から第２面２４側に延びるように配置されている。樹脂フレーム２０の第２面２４とフレキシブル配線基板１８は両面テープ４４などの粘着材で固定されている。そして、電子部品４６は第２凹部４２に収容されている。こうすることで、電子部品４６の厚みによって液晶表示装置の厚みが増加することを避けることができる。
【００１７】
図４は、本実施形態の効果を説明する図である。本実施形態によれば、液晶表示パネル１０の端部が第１凹部３８の上方で浮いた状態で位置するので、液晶表示パネル１０が樹脂フレーム２０に接触しにくくなっている。そのため、液晶表示パネル１０を薄くしてもその破損を防止することができる。また、薄型化の要求から、樹脂フレーム２０が薄く形成されて曲がりやすくなっていても、樹脂フレーム２０が液晶表示パネル１０の端部に接触することを、第１凹部３８によって、避けることができる。
【００１８】
図５は、本発明の実施形態の変形例を示す図である。この例では、第１凹部１３８及び第２凹部１４２は貫通している点で、上記実施形態とは異なる。第１凹部１３８と第２凹部１４２は、一部同士のみが重複しているが、相互に重複しない部分がある。本発明は、このような例も含んでいる。
【００１９】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００２０】
１０  液晶表示パネル、１２  基板、１４  基板、１６  偏光板、１８  フレキシブル配線基板、２０  樹脂フレーム、２２  第１面、２４  第２面、２６  穴、２８  両面テープ、３０  導光板、３２  光学フィルム、３４  ＬＥＤ、３６  反射シート、３８  第１凹部、４０  凸部、４２  第２凹部、４４  両面テープ、４６  電子部品、１３８  第１凹部、１４２  第２凹部。
【図１】
2011237624.tif 000003
【図２】
2011237624.tif 000004
【図３】
2011237624.tif 000005
【図４】
2011237624.tif 000006
【図５】
2011237624.tif 000007